(57)【要約】      （修正有）【課題】私は、どうしたことか、おならが順調に出ず、腹にガスが異常に溜まって仕舞って苦しくて困ることがしょっちゅうである。大概の場合は、横に臥すｒｅｓｔすると放屁できる。しかし、外出した時には、横に臥す所が無いので、困り果てる。車内でレストできる車を提供する。【解決手段】そこで、必要で無い車の場合を除いて、全ての椅子の背もたれを前倒しにして、フラットな床を作ることにした。そして、その背凭れの背面にウレタンフォーム等のクッション材を張り付けて身体当たりを好くすることにした。また、運転席横のレバー類を邪魔に為らないように畳んで沈めるようにもした。かくて、クッションの好い真っ平らな横に臥して休める、レスタ  カーｒｅｓｔａ  ｃａｒと呼んで貰うことにする、横臥可能化四輪自動車＝レスタブル  テトラカーｒｅｓｔａｂｌｅ  ｔｅｔｒａｃａｒの考案となった。【選択図】なし【特許請求の範囲】
【請求項１】
椅子を畳めば、フラットな床と為って、横に臥して休め、腹を苦しく膨らませているガスを放屁できる四輪自動車＝テトラカーが是非欲しい。
それには、フラットに作っても何ら支障の無い背面を利用するしか無い。然らば、背もたれを前に畳んでするしか無い。そして、出来るだけ隙間なく平らな床を作りたい。
必要な場合には、運転席や助手席も、そうしたい。
その場合、変速レバーやサイドブレーキ  レバーは折り畳んだり縮めたりして床より下に納まるようにしたい。
平らにした背凭れの背面には、ウレタンホーム等のクッション材を布などの袋に入れるて張り着けたい。その袋にカバーをファスナー等で止めて掛けうるようにしても宜しい。要は、クッション材を身体に障る固い枠に入れて張り付けないと言うことである。
若し、必要ならば、従来より当該車の天井を心持ち高くしても宜しい。
なお、このステーション  ワゴン  タイプも、私の持論である、余りノーズを下げないで、つまり所謂アロー  スタイルにしないで、格好よい範囲内で上下左右に丸みを持たせ、テールを上下左右に出来るだけ窄めた、所謂流線形タイプに出来ないかと思っている。
テトラカーにおける風の抵抗を弱めるには、風を受ける前面を立面から斜面にしても受風面積その物が減少する訳では無いので殆ど意味は無く、その風が抵抗体の背面で渦巻いて真空度を高め無いで後ろに流れ去るようにすればする程好ましいのである。
板で風を防ぐより板の背面にお椀形の物を張り付けた物で防ぐ方がより強風を防ぐことが出来る。しかし、この場合、傾斜させて、つまり風を受ける面積を狭くしても宜しいとなると、当然風の抵抗は減少する。
テトラカーにおいて、ノーズを下げたからと言って、一枚の板を斜めにした場合のように、受風面積が決して減少する訳では無い。
以上のようにして、車内にフラットな柔らかい床をも作れるようにして、必要に応じて身体をレストｒｅｓｔし得るようにした、短くはレスタ  カーｒｅｓｔａ  ｃａｒと呼んで貰うことにする、横臥可能化四輪自動車＝レスタブル  テトラカーｒｅｓｔａｂｌｅ  ｔｅｔｒａｃａｒ。
【請求項２】
既存のステーション  ワゴン  タイプのテトラカーを「請求項１」における「レスタブル  テトラカー」に車内を改装し得る、背もたれの背面をフラットにしてウレタンホーム等のクッション材を布袋などに入れて張り付けて、またそれにジッパー等でカバーを取り付け得るようにしても宜しい、背もたれを前に倒して敷きつめて、フラットな床を作り出し得るようにした、レスタブル  テトラカーへの既存ワゴンの改装用の各パートの椅子。
【発明の詳細な説明】
【９００００００００１】  私は、毎日、腹が脹って困り果てている。亡父は、腹が脹るので牛乳は飲みたく無いと言っていた。どうも、それは当っているらしい。本日は、牛乳を飲まなかったのであるが、通常より腹具合が宜しい。  さて、腹が極端に脹って困った場合には、横になって休むと、比較的に楽に放屁できる。自宅に居る場合には、気軽に横になることも出来るが、外出した場合には、中々適当な場所に恵まれ無い。現在、公共交通手段に恵まれている市街化地域に居住して居る人は、電車を利用する人も多いようであるが、大概の人たちは四輪自動車テトラカーを使用している。この車内で腹が脹った場合に車で気軽に横になれると嬉しい。  現在、多くのバンやワゴンが発売されているが、椅子を後ろに倒して、荷物を積めるようにした物で、凹凸がきつくて、とてもでは無いが、人が横に為れる物では無い。増してや、お二人でと言う訳にはいかない。  兎に角、横に為れるように真っ平らにしたい。そして、その場合、床のごつごつが身体に障るようでは物に為らない。  そこで、椅子を後ろに倒すこれまでの方法を止めて、逆に前に倒して平らを作ることを考えた。  この前倒しだと、背もたれの背面は、背を当てる前面とは異なって、何ら気兼ね無く平らにし得るので、この方が完璧性が高い。そして、平らと為るとなると、ウレタンフォームなどのクッションが敷設し易い。  こうすると、確かに背凭れの厚さだけ床が高くなるが、精々１５ｃｍ位であろうから、支障は生じないと思われるが、気になれば、天井を心持ち高くすれば宜しかろう。  また、丈の短い車にも、この考案を普遍したいと為れば、運転席も同じように前倒し出来るようにしなくては為らない。変速レバーやサイドブレーキレバーが邪魔になるので、これらを折り曲げるなり縮めるなりして、床より下に畳めるようにしたい。  斯くすれば、レスト即ち「横になって休む」ことの出来る車が奇麗に開発できると確信する。斯くて、本物の「横臥可能化四輪自動車レスタブル  テトラカーｒｅｓｔａｂｌｅ  ｔｅｔｒａｃａｒ」が開発できることに為った。私と同病に悩み続けて来た勤労者の皆さんには、心から喜んで貰えると、嬉しい。  なお、ワゴンタイプには、５ｍを超える物から軽の３ｍ９５ｃｍまでが市販されているが、全てが、この考案のレスタカーとなりうる。なお、最近のワゴンに就いては、平成１７年９月３日発行「モーターファン別冊」「２００５−２００６最新ミニバンのすべて」に詳しい。参照願いたい。  なお、長距離運転の列車や飛行機やバスやフェリーボートにおいても、座席がレスタブルに転換可能な物と為れば宜しい。しかし、一人掛けの長椅子とも行かないので、現在のリクライニング  シートを改良して対処する以外に在るまい。水平に倒しうるスペースを取る。クッション材の包みに固い枠や枠的な縫製法を用いない。背凭れを乗客の体形的にしなくても、カーブにおける遠心力に振り回されない方法を考案しなくはならなかろう。レスト出来るゆとりの在る平板な背凭れの両サイドにガードを設けるのが一番であろう。  斯くて、この短くは、レスタカーと呼んで貰うことにする、この横臥可能化車の開発の目途が立った。就けても思い出されることは多い。私の若い頃の工場では、休みの時間には、機械の間に蓙や筵を敷いて横に為っていた物である。私なども、子供の頃は畳の上の生活で在ったから、ビタミンＢ１不足気味の脚気気味であったのか、暇になればごろりと横になったものである。人間には、横になって休むこと、レストｒｅｓｔすることは、生活上の必須条件なのである。レストランｒｅｓｔａｕｒａｎｔや飯店ｈｏｔｅｌなども、出はレストを満たすだけの簡易な場所で在ったのであろう。  人間の経済活動は、人間のあらゆる生理を互いに満足させる生産活動であると言っても宜しかろう。食事に関する生産活動が最高であるが、その為の、そしてそこから生じる不調ｄｉｓｅａｓｅを癒したり軽減解消する所に、人間は生産活動しているのだと言うことに根本的に覚醒しなくては為らない。  自己が日常生活においてディスイーズして居る所に商機があり、それをイーズする新機軸ｏｒｉｇｉｎａｌ−ｉｄｅａこそ企業化ｅｎｔｅｒｐｒｉｓｉｎｇその物である。しかし、企業経営を望む全ての人に、イーズにおける新機軸が独創できる訳ではない。企業家はそこの所を自覚して、これはと言うオリジナル  アイディアを購入することに、自己創造すること以上に真剣で無くては為らない。他人の独創を正当に購入して企業化して行く所に自己の独創性が萌芽育成して行く。  泥棒根性からは、何らの企業家精神も生まれ育たない。私に電磁波に乗って纏り着く政財界のお歴々の無学無能ぶりには、最早付ける薬は無いと言う程である。買い求めると言う精神を同和思想で以て喪失して仕舞い、窃盗する、強盗する、それらが可能だと信じるように成って仕舞った人たちには、他人の蓄財を不正に上手く気付かれないように盗ませて結局は自分が盗る所を政治経済と心得ている。  斯かる私の努力に対しては何らの支援をしない所か、私の努力の成果を低能経営者に盗み取らせる為の社会騒乱を演出する所を政治と心得ているらしい。盗られても盗られても、それに屈せず私財の範囲内で、斯かるオリジナル  アイディアを発明し続けて来た。４０年間の長き亘ってである。しかし、その発明は、一銭の収入を上げることをも妨害され続けて、その発明過程が毎週訪れて来る選挙において、左右に利用され続けて来ただけである。（公序良俗違反につき、不掲載）  食料と燃料の備蓄が怪しくなって来ているので、早晩、年金や育児や上の騒擾主義などの後ろ向き政治活動から、真に国民の待望している殖産興業活動へと前向きに転向することに成ろう。しかし、現総選挙の候補者を見ると、旧態依然としていて、政界には、革新を期待することは不可能である。斯かる人物に雲を突くような高給を支給する現国体への大批判が期待されている。（公序良俗違反につき、不掲載）  新しい革新文明文化を紹介普及推進してくれるヌーベル  ジャーナルの勃興興隆を期待して止まない。その本質は、ディスイーズをイーズする、即ち、苦痛・苦悩・重荷などの根本を除いて、楽にするｍａｋｅ  ｃｏｍｆｏｒｔａｂｌｅ、軽減・緩和するａｌｌｅｖｉａｔｅ、ｒｅｌｉｅｖｅ、安心させるｍａｋｅ  ｅａｓｙ、気を別けても無念を晴らすｅａｓｅ  ｏｎｅｓｅｌｆ、便通を快くするｍｏｖｅ  ｅａｓｉｌｙ  ｏｎｅ’ｓ  ｂｏｗｅｌにある。  同和主義は、イーズと言うことには全く理解力を欠き、寧ろディスイーズ���人為して国民を低水準化して来たが、それに対する国民の恐怖感の抑圧にそれその物を使用した。レストさせることすら、社会生活から排除して、ディスイーズを作りだし、便通薬をごっそり服用させ続けた。国民の健康を破壊し働けなくしては、医療を押し付けて、国民から田畑を即ち食料を不足へ不足へと収奪した。  この様な、斯かる国力の破壊行為を外国製の電磁波装置で以て、只単にリペート欲しさだけだけで、４０年間も続けて来たのである。人間の歩みの歴史に則った正当な文明の追求確立ほど、この国難を切り開くものは無い。それは、宇宙を徘徊したり、遺伝子を操作したり、不満・不足の中で水平を政治したりする、先端科学と呼ばれる物とは、全く関係ない。飢餓つくりを最重点に、デスイーズ行為、即ち狂わせるｄｅｒａｎｇｅ、病気に掛からせるｍａｋｅ  ｔｏ  ｆｏｌｌ  ｓｉｃｋ等の行為を、政府が中止することにある。  斯かる漢和国語や英語に接して見れば、人類の希求し続けた平和とは何であるかが、しっかりと理解される。広島の平和運動は、食糧増産運動に、食糧輸入交換輸出製品増産運動に取って替わら無くては為らないことが理解して貰えよう。これまでの平和運動は、各種福祉受給の単なる煙幕に過ぎなかったことを、当事者たちも周りの人たちも我に返って正しく自覚するべきである。斯くて、その当事者の方が実質１６１万円もの安定所得を保障され、周りの人たちは兎に角その日暮らしに駆けずり回らなくては為らないことになっている。政治家と対策受給者の豪奢な暮らし振りは、個人秘密情報保護法で実質的には、噂すら封印されている。そこで、広島の非核宣言都市には、非電磁波宣言都市に転換する勢力の台頭が欲しい。これからの政治家の取り組むべき絶対的な課題である。  これから追い求める平和とは、具体的には何か、具体的には。国民は、仮想の社会を言い回す話術を教えるだけの学校教育、社会教育に陶酔させられては為らない。具体的に、飽く迄私のように具体的に！